(57)【要約】【課題】ノンガスタイプの泡吐出容器に充填して使用することを特徴とする液体洗浄剤組成物において、目詰まりがなく、クリーミーで安定した泡が得られ、かつ洗浄後の持続的なうるおい感に優れる液体洗浄剤組成物を提供する。【解決手段】下記成分（Ａ）〜（Ｄ）が泡吐出容器に充填されていること特徴とする液体洗浄剤組成物。（Ａ）下記一般式（１）で表されるＮ−アシルタウリン型陰イオン性界面活性剤        Ｒ１ＣＯ−ＮＲ２−ＣＨ２ＣＨ２ＳＯ３Ｍ  ・・・（１）〔上式中、Ｒ１は炭素数７〜１９の飽和または不飽和の炭化水素基を表し、Ｒ２は水素原子または炭素数１〜３のアルキル基を表し、Ｍはアルカリ金属原子、アルカリ土類金属原子、アンモニウム、または有機アミンを表す。〕（Ｂ）カルボベタイン型両性界面活性剤、及びスルホベタイン型両性界面活性剤から選ばれる１種以上  （Ｃ）ポリオキシエチレンソルビタン脂肪酸エステル（Ｄ）多価アルコール  【選択図】なし【特許請求の範囲】
【請求項１】
下記成分（Ａ）〜（Ｄ）が泡吐出容器に充填されていることを特徴とする液体洗浄剤組成物。
（Ａ）下記一般式（１）で表されるＮ−アシルタウリン型陰イオン性界面活性剤  
Ｒ１ＣＯ−ＮＲ２−ＣＨ２ＣＨ２ＳＯ３Ｍ  ・・・（１）
〔上式中、Ｒ１は炭素数７〜１９の飽和または不飽和の炭化水素基を表し、Ｒ２は水素原子または炭素数１〜３のアルキル基を表し、Ｍはアルカリ金属原子、アルカリ土類金属原子、アンモニウム、または有機アミンを表す。〕
（Ｂ）カルボベタイン型両性界面活性剤、及びスルホベタイン型両性界面活性剤から選ばれる１種以上  
（Ｃ）ポリオキシエチレンソルビタン脂肪酸エステル
（Ｄ）多価アルコール  
【請求項２】
成分（Ａ）〜（Ｄ）の含有量が下記であることを特徴とする請求項１に記載の液体洗浄剤組成物。
（Ａ）                １〜４質量％
（Ｂ）              １〜１０質量％
（Ｃ）            ０．１〜５質量％
（Ｄ）            ２５〜５０質量％
【請求項３】
成分（Ａ）がＮ−ココイルメチルタウリンナトリウムであることを特徴とする請求項１〜２に記載の液体洗浄剤組成物。
【請求項４】
成分（Ｃ）がＨＬＢ値１６．５〜１９．５であるポリオキシエチレンソルビタン脂肪酸エステルであることを特徴とする請求項１〜３に記載の液体洗浄剤組成物。
【発明の詳細な説明】
【技術分野】
【０００１】
本発明は、ノンガスタイプの泡吐出容器に充填して使用することを特徴とする液体洗浄剤組成物に関する。詳しくは、目詰まりがなく、クリーミーで安定した泡が得られ、低温における安定性、泡の形成性に優れ、しかも洗浄後の持続的なうるおい感に優れる液体洗浄剤組成物に関する。
【背景技術】
【０００２】
ノンガスタイプの泡吐出容器に充填して使用することを特徴とする液体洗浄剤は、その容器から押し出すことにより泡状となって吐出されるため、使用時の簡便性に優れるとともに、泡状となった洗浄剤で肌を洗うことによる肌への負担軽減の観点から、洗顔料のみならず身体用洗浄剤としても、これまで様々な提案がなされてきた。  
例えば、これらの泡吐出容器に収容される液体洗浄剤組成物では、泡吐出容器内部の多孔質膜を通過させることで内容組成物と空気とを混合して泡沫状とするが、泡質（泡のクリーミーさ、泡の細かさ等）に優れた泡形成ができる一方で、多孔質膜を通過させる必要があることから、内容組成物が多孔質膜で目詰まりを起すという問題がある。特に界面活性剤として脂肪酸石鹸を用いた場合、低温保存時における高級脂肪酸塩の析出により、目詰まりが生じ易いといった問題が顕著となる。このような問題を解決するため、特定の官能基を有する高級脂肪酸塩の使用や各種界面活性剤、多価アルコールの添加等が提案されている（特許文献１〜２）。また、ノンガスタイプの泡吐出容器より吐出される泡質を更に向上させるため、炭素鎖長の異なる高級脂肪酸塩の比率検討や各種界面活性剤、多価アルコールの添加等も提案されている。（特許文献３〜４）。
【０００３】
一方で、肌への負担軽減のため、肌への負担が少ない脂肪酸石鹸以外の界面活性剤を用いた洗顔料や身体用洗浄剤の提案も近年活発に行われている（特許文献５）。
しかしながら、ノンガスタイプの泡吐出容器に充填して使用することを特徴とする液体洗浄剤組成物については、未だ脂肪酸石鹸を洗浄剤主成分とした洗浄剤組成物が中心となっており、ノンガスタイプの泡吐出容器に充填して使用するのに好適な脂肪酸石鹸以外の界面活性剤を洗浄剤主成分とした液体洗浄剤組成物については、より一層の提案が求められているのが現状である。
【先行技術文献】
【特許文献】
【０００４】
【特許文献１】特開平５−１３２７００号公報
【特許文献２】特開平８−３１１４９８号公報
【特許文献３】特開２００５−１５４６５１公報
【特許文献４】特開２０１４−１５６５３７公報
【特許文献５】特開２００９−０６７６９４公報
【発明の開示】
【発明が解決しようとする課題】
【０００５】
本発明は上記事情に鑑みてなされたもので、ノンガスタイプの泡吐出容器に充填して使用することを特徴とする液体洗浄剤組成物において、目詰まりがなく、クリーミーで安定した泡が得られ、かつ保湿性を有する多価アルコールを高配合にもかかわらず低温における安定性、泡の形成性に優れ、洗浄後の持続的なうるおい感に優れる液体洗浄剤組成物を提供することにある。
【課題を解決するための手段】
【０００６】
本発明の目的を達成するために鋭意研究した結果、下記一般式（１）で表されるＮ−アシルタウリン型陰イオン性界面活性剤と、特定の両性界面活性剤と、特定のポリオキシエチレンソルビタン脂肪酸エステルと、多価アルコールを含有する皮膚洗浄料をノンガスタイプの泡吐出容器に充填して泡状に吐出する形態として使用するにあたり、目詰まりがなく、クリーミーで安定した泡が得られ、低温における安定性、泡の形成性に優れ、しかも洗浄後の持続的なうるおい感に優れる液体洗浄剤組成物が得られることを見出し、本発明を完成した。
一般式（１）    Ｒ１ＣＯ−ＮＲ２−ＣＨ２ＣＨ２ＳＯ３Ｍ  ・・・（１）
〔上式中、Ｒ１は炭素数７〜１９の飽和または不飽和の炭化水素基を表し、Ｒ２は水素原子または炭素数１〜３のアルキル基を表し、Ｍはアルカリ金属原子、アルカリ土類金属原子、アンモニウム、または有機アミンを表す。〕
【０００７】
第一の発明は、下記成分（Ａ）〜（Ｄ）が泡吐出容器に充填されていることを特徴とする液体洗浄剤組成物。
（Ａ）下記一般式（１）で表されるＮ−アシルタウリン型陰イオン性界面活性剤
Ｒ１ＣＯ−ＮＲ２−ＣＨ２ＣＨ２ＳＯ３Ｍ  ・・・（１）
〔上式中、Ｒ１は炭素数７〜１９の飽和または不飽和の炭化水素基を表し、Ｒ２は水素原子または炭素数１〜３のアルキル基を表し、Ｍはアルカリ金属原子、アルカリ土類金属原子、アンモニウム、または有機アミンを表す。〕
（Ｂ）カルボベタイン型両性界面活性剤、及びスルホベタイン型両性界面活性剤から選ばれる１種以上  
（Ｃ）ポリオキシエチレンソルビタン脂肪酸エステル
（Ｄ）多価アルコール  
【０００８】
第二の発明は、成分（Ａ）〜（Ｄ）の含有量が下記であることを特徴とする請求項１に記載の液体洗浄剤組成物。
（Ａ）                １〜４質量％
（Ｂ）              １〜１０質量％
（Ｃ）            ０．１〜５質量％
（Ｄ）            ２５〜５０質量％
【０００９】
第三の発明は、成分（Ａ）がＮ−ココイルメチルタウリンナトリウムであることを特徴とする請求項１〜２に記載の液体洗浄剤組成物。
【００１０】
第四の発明は、成分（Ｃ）がＨＬＢ値１６．５〜１９．５であるポリオキシエチレンソルビタン脂肪酸エステルであることを特徴とする請求項１〜３に記載の液体洗浄剤組成物。
【発明の効果】
【００１１】
本発明によれば、ノンガスタイプの泡吐出容器に充填して使用することを特徴とする液体洗浄剤組成物において、目詰まりがなく、クリーミーで安定した泡が得られ、かつ保湿性を有する多価アルコールを高配合にもかかわらず低温における安定性、泡の形成性に優れ、洗浄後の持続的なうるおい感に優れる液体洗浄剤組成物を提供することにある。
【発明を実施するための形態】
【００１２】
以下、本発明の液体洗浄剤組成物について詳細に説明する。
【００１３】
本発明の液体洗浄剤組成物で用いられる成分（Ａ）は、下記一般式（１）で表わされるＮ−アシルタウリン型陰イオン性界面活性剤である。
Ｒ１ＣＯ−ＮＲ２−ＣＨ２ＣＨ２ＳＯ３Ｍ  ・・・（１）
〔上式中、Ｒ１は炭素数７〜１９の飽和または不飽和の炭化水素基を表し、Ｒ２は水素原
子または炭素数１〜３のアルキル基を表し、Ｍはアルカリ金属原子、アルカリ土類金属原子、アンモニウム、または有機アミンを表す。〕
【００１４】
このようなＮ−アシルタウリン型陰イオン性界面活性剤の具体例としては、例えば、Ｎ−ラウロイル−Ｎ−メチルタウリン塩、Ｎ−ミリストイル−Ｎ−メチルタウリン塩、Ｎ−ココイル−Ｎ−メチルタウリン塩、Ｎ−ラウロイル−Ｎ−エチルタウリン塩、Ｎ−ミリストイル−Ｎ−エチルタウリン塩、Ｎ−ココイル−Ｎ−エチルタウリン塩、Ｎ−ラウロイルタウリン塩、Ｎ−ココイルタウリン塩等が挙げられるが、これらに限定されるものではない。上記Ｎ−アシルタウリン型陰イオン性界面活性剤は、１種単独又は２種以上を混合して使用することができる。
【００１５】
上記Ｎ−アシルタウリン型陰イオン性界面活性剤の対イオンとしては、アルカリ金属（例えば、リチウム、カリウム、ナトリウム等）、アルカリ土類金属（例えば、カルシウム、マグネシウム等）、アンモニウム、有機アミン（例えば、モノエタノールアミン、ジエタノールアミン、トリエタノールアミン等）が挙げられる。中でもナトリウム、カリウムが好ましい。上記Ｎ−アシルタウリン型陰イオン性界面活性剤は市販品を使用することができ、例えばダイヤポンＫ−ＳＦ（日油社製）、アンホレックスＡＭ−１（ミヨシ油脂社製）等が挙げられる。
【００１６】
本発明の液体洗浄剤組成物において、成分（Ａ）の配合量は、全組成中１〜４質量％（以下、単に「％」と記す。）が好ましい。配合量が１％未満では泡質（クリーミー性）が悪くなる場合があり、４％を超えると低温における安定性、泡の形成性が悪く、目詰まりが起こる場合がある。
【００１７】
本発明の液体洗浄剤組成物で用いられる成分（Ｂ）カルボベタイン型両性界面活性剤、及びスルホベタイン型両性界面活性剤から選ばれる１種単独で、又は２種以上を適宜組み合わせて用いることができる。成分（Ｂ）は（Ａ）Ｎ−アシルタウリン型陰イオン性界面活性剤の低温での溶解度を向上させ、結晶析出を抑制し、泡質も良好になる。
【００１８】
カルボベタイン型両性界面活性剤としては、ラウリルジメチルアミノ酢酸ベタイン、ヤシ油アルキルジメチルアミノ酢酸ベタイン、ステアリルジメチルアミノ酢酸ベタイン、ヤシ油脂肪酸アミドプロピルベタイン、ラウリン酸アミドプロピル酢酸ベタイン、ラウロイルアミドプロピルベタイン等が挙げられ、市販品を使用することができる。具体的に例示すれば、ニッサンアノンＢＬ（日油社製）、リカビオンＡ−１００（新日本理科社製）等が挙げられる。スルホベタイン型両性界面活性剤としては、ヤシ油脂肪酸ジメチルスルホプロピルベタイン、ラウリルジメチルアミノヒドロキシスルホベタイン、ラウリルヒドロキシスルホベタイン等が挙げられ、市販品を使用することができる。具体的に例示すれば、アンヒトール２０ＨＤ（花王社製）等が挙げられる。
【００１９】
成分（Ｂ）の配合量は、液体洗浄剤組成物に対して１〜１０％が好ましい。配合量が１％未満では泡質（クリーミー性）が悪くなる場合があり、１０％を超えると、泡立ちが悪くなる場合があり、また洗い流し時のぬるつき、使用感が悪くなる場合がある。
【００２０】
本発明の液体洗浄剤組成物で用いられる成分（Ｃ）はポリオキシエチレンソルビタン脂肪酸エステルであり、泡質（クリーミー性）、泡の持続性を向上させることができる。このポリオキシエチレンソルビタン脂肪酸エステルとしては、モノラウリン酸ポリオキシエチレンソルビタン、モノミリスチン酸ポリオキシエチレンソルビタン、モノステアリン酸ポリオキシエチレンソルビタン等が挙げられるが、好ましくはモノラウリン酸ポリオキシエチレンソルビタンである。市販品としては、ノニオンＬＴ−２８０（日油社製）等が挙げられる。
【００２１】
また、成分（Ｃ）のＨＬＢ値はキメ細かな良好な泡質（クリーミー性）を得る観点から、１６．５〜１９．５の範囲を有するものが好ましい。ＨＬＢ値が１６．５以下では泡質（クリーミー性）、泡の持続性が悪くなることがある。
【００２２】
成分（Ｃ）の配合量は、液体洗浄剤組成物に対して０．１〜５％が好ましく、より好ましくは１．５〜５％である。配合量が０．１％未満では泡質（クリーミー性）が悪くなり、５％を超えるとすすぎ時にぬるつきが生じる。
【００２３】
本発明の液体洗浄剤組成物で用いられる成分（Ｄ）多価アルコールとしては、プロピレングリコール、１，３−ブチレングリコール、ジプロピレングリコール、グリセリン、ジグリセリン、ポリエチレングリコール、プロパンジオール、ソルビトール、マルチトール、ペンタエリスリトール、グルコース、トレハロース、フルクトース等が挙げられ、これらの中でも、特に、洗浄後のうるおい感、保湿の観点から、プロピレングリコール、１，３−ブチレングリコール、ジプロピレングリコール、グリセリン、ソルビトールが好ましい。また、それぞれ１種単独で、又は二種以上を適宜組合せて用いることができる。
【００２４】
成分（Ｄ）の配合量は、液体洗浄剤組成物に対して２５〜５０％が好ましく、３０〜４５％がより好ましい。配合量が２５％未満では、泡質（クリーミー性）、泡の持続性が悪くなることがあり、５０％を超えると、低温における安定性が悪く、目詰まりが起こることがある。また、洗い流し時のぬるつき、使用感が悪くなる場合がある。
【００２５】
本発明の液体洗浄剤組成物は、ｐＨが５〜８に調整することが望ましい。ｐＨが５未満では、皮膚刺激を起こす場合があり、ｐＨが８を超えると洗浄力が強すぎるため、過剰に脱脂され洗浄後につっぱり感を感じることがある。さらに、ｐＨが５〜８に調整されることで、マイルドな洗浄によりすすぎ時のしっとり感と、洗浄後の持続的なうるおい感を与えることができる。本発明の液体洗浄剤組成物には本発明の効果を損なわない範囲において、ｐＨ調整剤を適宜用いることができる。ｐＨ調整剤としては、乳酸塩、リンゴ酸塩、酒石酸塩、クエン酸塩、コハク酸塩、サリチル酸塩、安息香酸塩等の有機酸塩が好ましい。
【００２６】
本発明の液体洗浄剤組成物は、高級脂肪酸塩を含まないことが好ましい。高級脂肪酸塩は、ラウリン酸、ミリスチン酸、パルミチン酸、ステアリン酸、ヤシ油等の高級脂肪酸と水酸化ナトリウム、水酸化カリウム、モノエタノールアミン、ジエタノールアミン等のアルカリ剤でケン化、又は中和したものであり、高級脂肪酸塩を配合すると起泡性が低下したり、ｐＨが８を超えるため、過剰に脱脂され洗浄後につっぱり感を感じたりする場合がある。
【００２７】
本発明の液体洗浄剤組成物は、上述した成分の他に、本発明の目的を損なわない範囲で他の成分、例えば、Ｎ−アシルアミノ酸系アニオン界面活性剤、カチオン界面活性剤、両性界面活性剤、ノニオン界面活性剤、水溶性高分子化合物（カチオン性、ノニオン性、アニオン性等を含む）、生理活性成分、酸化防止剤、金属イオン封鎖剤、防腐剤、紫外線吸収剤、香料、天然精油、保湿剤、塩類、溶媒、中和剤、昆虫忌避剤、酵素等の成分を適宜配合することができる。
【００２８】
上記Ｎ−アシルアミノ酸系アニオン界面活性剤としては、例えばＮ−ラウロイル−β−アラニン及びその塩、Ｎ−ミリスチル−β−アラニン及びその塩、Ｎ−ココイル−β−アラニン及びその塩、Ｎ−ラウロイルグルタミン酸及びその塩、Ｎ−ココイルグリシン及びその塩等が挙げられ、適宜一種又は二種以上選択して用いればよい。
【００２９】
上記両性界面活性剤としては、特に限定されるものではないが、例えば２−アルキル−Ｎ
−カルボキシメチル−Ｎ−ヒドロキシエチルイミダゾリニウムベタイン、ラウリルアミノジ酢酸ナトリウム、β−アミノプロピオン酸ナトリウム、Ｎ−ラウロイル−Ｎ'−カルボキシメチル−Ｎ'−ヒドロキシエチルエチレンジアミンナトリウム等が挙げられ、適宜一種又は二種以上選択して用いればよい。
【００３０】
上記ノニオン界面活性剤としては、特に限定されるものではないが、例えばポリオキシエチレンセチルエーテル、モノステアリン酸ソルビタン、ポリオキシエチレン硬化ヒマシ油、ポリオキシエチレンモノイソステアレート、ポリオキシエチレンジオレイン酸グリセリル、ヤシ油脂肪酸ジエタノールアミド、ヤシ油脂肪酸モノエタノールアミド、ヤシ油脂肪酸Ｎ−メチルエタノールアミド、ポリオキシエチレンポリオキシプロピレングリコール、モノラウリン酸ポリエチレングリコール等が挙げられ、適宜一種又は二種以上選択して用いればよい。
【００３１】
上記水溶性高分子としては、特に限定されるものではないが、例えば塩化ジメチルジアリルアンモニウム・アクリルアミド共重合体、及びアクリルアミド・アクリル酸・塩化ジメチルジアリルアンモニウム共重合体、ヒドロキシエチルセルロース、ヒドロキシプロピルセルロース、ヒドロキシプロピルメチルセルロース、ヒドロキシプロピルデンプンリン酸、ポリエチレングリコール、高重合ポリエチレングリコール、ポリビニルアルコール、ポリグルタミン酸、カルボキシビニルポリマー、アクリル酸・メタクリル酸アルキルコポリマー、アクリル酸アルキルコポリマー等が挙げられ、適宜一種又は二種以上選択して用いればよい。
【００３２】
上記生理活性成分としては、皮膚に塗布した場合に皮膚に何らかの生理活性を与える物質が挙げられる。例えば、抗炎症剤、老化防止剤、紫外線防御剤、ひきしめ剤、抗酸化剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分等が挙げられる。上記生理活性成分は、天然系の植物抽出成分、海藻抽出成分、生薬成分や、化合物等が挙げられるが、これらの中でも、特に天然系の植物抽出成分、海藻抽出成分、生薬成分が安全性の点で好ましい。
【００３３】
上記天然系の植物抽出成分、海藻抽出成分、生薬成分の例としては、例えばアシタバエキス、アマチャエキス、アルテアエキス、アロエエキス、アンズエキス、イチョウエキス、ウイキョウエキス、ウーロン茶エキス、エイジツエキス、オウゴンエキス、オウバクエキス、オトギリソウエキス、オランダカラシエキス、オレンジエキス、海水乾燥物、海藻エキス、加水分解コムギ末、加水分解シルク、カモミラエキス、カロットエキス、カワラヨモギエキス、甘草エキス、カキョクエキス、キウイエキス、キューカンバーエキス、クチナシエキス、クマザサエキス、クララエキス、クルミエキス、グレープフルーツエキス、クロレラエキス、クワエキス、紅茶エキス、酵母エキス、酒粕エキス、コメヌカエキス、コラーゲン、サルビアエキス、サボンソウエキス、サンザシエキス、ジオウエキス、シコンエキス、シソエキス、シナノキエキス、シャクヤクエキス、シラカバエキス、スギナエキス、セイヨウキズタエキス、セイヨウサンザシエキス、セイヨウニワトコエキス、セイヨウノコギリソウエキス、セイヨウハッカエキス、セージエキス、センキュウエキス、センブリエキス、ダイズエキス、タイソウエキス、タイムエキス、茶エキス、チョウジエキス、チンピエキス、トウキエキス、トウニンエキス、ドクダミエキス、トマトエキス、納豆エキス、ニンジンエキス、ニンニクエキス、ノバラエキス、蜂蜜、ハマメリスエキス、ヒキオコシエキス、ビサボロール、ビワエキス、ブクリョウエキス、プロポリス、ヘチマエキス、ペパーミントエキス、ボダイジュエキス、ホップエキス、マドンナリリー花エキス、マロニエエキス、ムクロジエキス、メリッサエキス、モモエキス、ユキノシタエキス、ユズエキス、ヨモギエキス、ラベンダーエキス、レモンエキス、レンゲソウエキス、ローズマリーエキス、ローヤルゼリーエキス等を挙げることができる。
【００３４】
また、上記天然系の植物抽出成分、海藻抽出成分、生薬成分以外の成分としては、例えばデオキシリボ核酸、ムコ多糖類、ヒアルロン酸ナトリウム、コンドロイチン硫酸ナトリウム、コラーゲン、エラスチン、キチン、キトサン、加水分解卵殻膜などの生体高分子、アミノ酸、乳酸ナトリウム、尿素、ピロリドンカルボン酸ナトリウム、ベタイン、ホエイなどの保湿成分、スフィンゴ脂質、セラミド、コレステロール、コレステロール誘導体、リン脂質などの油性成分、ε−アミノカプロン酸、グリチルリチン酸、β−グリチルレチン酸、塩化リゾチーム、グアイアズレン、ヒドロコルチゾン等の抗炎症剤、ビタミン類（Ａ、Ｂ２、Ｂ６、Ｃ、Ｄ、Ｅ）、パントテン酸カルシウム、ビオチン、ニコチン酸アミド、ビタミンＣエステル等のビタミン類、アラントイン、ジイソプロピルアミンジクロロアセテート、４−アミノメチルシクロヘキサンカルボン酸等の活性成分、トコフェロール、カロチノイド、フラボノイド、タンニン、リグナン、サポニン等の抗酸化剤、α−ヒドロキシ酸、β−ヒドロキシ酸などの細胞賦活剤、γ−オリザノール、ビタミンＥ誘導体などの血行促進剤、イソプロピルメチルフェノール、トリクロサン、ヒノキチオール、塩化ベンザルコニウム等の殺菌剤、ｌ−メントール、ハッカ油等の冷感剤、レチノール、レチノール誘導体等の創傷治癒剤等が挙げられる。
【００３５】
本発明に用いられる泡吐出容器とは、噴射剤を使用するエアゾール型の泡吐出容器以外のノンエアゾール型のものを意味し、吐出容器内に充填された皮膚洗浄料と、空気とを混合して多孔質膜を通過させることにより泡沫状に吐出することができる容器である。具体的には、ポンプフォーマーやスクイズフォーマー等を例示することができる。
【００３６】
また、吐出容器内部の多孔質膜は、一つ又は複数設けられ、その膜の孔数は特に限定されないが、キメ細かな泡質にする観点から、１００〜４００メッシュが好ましく、２００〜３００メッシュのものを用いるのがより好ましい。
【００３７】
本発明の液体洗浄剤用組成物は、常法により製造することができ、洗顔、クレンジング、ボディシャンプー、ハンドソープ、シェービング料、マッサージ料等の皮膚用洗浄剤として好適に使用できる。
【実施例】
【００３８】
次に本発明の液体洗浄剤組成物について、実施例をもって詳細に説明するが、本発明はこれにより限定されるものではない。なお、以下の全ての実施例及び比較例における配合量は質量％である。
【００３９】
実施例１〜１１、及び比較例１〜１０
表１および表２に示す組成の液体洗浄剤を常法に準じて調製し、容量２００ｍＬのポンプフォーマー型容器（２００メッシュ２枚使用）に２００ｍＬ充填し、ノンエアゾール型泡状皮膚洗浄料を得た。得られた皮膚洗浄料について下記評価を行い、その結果を表１および表２に併せて示した。
【００４０】
（１）泡量
室温にてパネラー１０名がそれぞれポンプフォーマー型容器から内容物を吐出させて手に取り、泡量を下記評価基準に従って室温にて官能評価した。
＜評価基準＞
◎：極めて良好  泡量が良好と答えた被験者の数が８人以上
○：良好        泡量が良好と答えた被験者の数が６人以上、８人未満
△：やや悪い    泡量が良好と答えた被験者の数が４人以上、６人未満
×：悪い        泡量が良好と答えた被験者の数が４人未満
【００４１】
（２）室温での泡質（クリーミー性）
室温にてパネラー１０名がそれぞれポンプフォーマー型容器から内容物を吐出させて手に取り、泡質（クリーミー性）を下記評価基準に従って室温にて官能評価した。
＜評価基準＞
◎：極めて良好  泡質（クリーミー性）が良いと答えた被験者の数が
８人以上
○：良好        泡質（クリーミー性）が良いと答えた被験者の数が
６人以上、８人未満
△：やや悪い    泡質（クリーミー性）が良いと答えた被験者の数が
４人以上、６人未満
×：悪い        泡質（クリーミー性）が良いと答えた被験者の数が
４人未満
【００４２】
（３）泡の持続性
室温にてパネラー１０名がそれぞれポンプフォーマー型容器から内容物を吐出させて手に取り、吐出した泡の持続性（泡もち）を下記評価基準に従って室温にて官能評価した。
＜評価基準＞
◎：極めて良好  泡もちが良好と答えた被験者の数が８人以上
○：良好        泡もちが良好と答えた被験者の数が６人以上、８人未満
△：やや悪い    泡もちが良好と答えた被験者の数が４人以上、６人未満
×：悪い        泡もちが良好と答えた被験者の数が４人未満
【００４３】
（４）低温での透明安定性（外観評価）
実施例及び比較例の液体洗浄剤組成物をガラス瓶に充填し、０℃で静置したときの経時安定性について、下記判断基準により評価を行った。
＜評価基準＞
◎：２ヶ月間析出物および濁りなし
○：１ヶ月間析出物および濁りなし（２ヶ月後析出物有り）
△：２週間析出物および濁りなし（１ヶ月後析出物有り）
×：１週間析出物および濁りなし（２週間後析出物有り）
【００４４】
（５）目詰まり性
実施例及び比較例の液体洗浄剤組成物を泡吐出容器に充填し、０℃で静置し、２０回プッシュしたときの目詰まり性について、下記判断基準により評価を行った。
＜評価基準＞
◎：２ヶ月間目詰まりなし
○：１ヶ月間目詰まりなし（２ヶ月後目詰まり有り）
△：２週間目詰まりなし（１ヶ月後目詰まり有り）
×：１週間目詰まりなし（２週間後目詰まり有り）
【００４５】
（６）洗浄後の肌感触
１０名の専門パネルにより、実施例及び比較例の泡状皮膚洗浄料を使用し、洗浄後の肌感触について官能評価を行った。尚、評価基準は以下の通りである。
＜評価基準＞
◎：極めて良好  洗浄後もしっとりしてうるおっていると答えた被験者の数が
８人以上
○：良好        洗浄後もしっとりしてうるおっていると答えた被験者の数が
６人以上、８人未満
△：やや悪い    洗浄後もしっとりしてうるおっていると答えた被験者の数が
４人以上、６人未満
×：悪い        洗浄後もしっとりしてうるおっていると答えた被験者の数が
４人未満
【００４６】
（７）防腐力
実施例および比較例の試料１０ｇに菌液を接種後、塗抹法により菌数の変化を調べた。接種菌はカビ（菌株名：Aspergillus  niger；接種量105 cfu(colony forming unit)/g）、酵母（菌株名：Candida  albicans ；接種量106 cfu/g）、大腸菌（菌株名：Escherichia
coli；接種量106 cfu/g）、黄色ブドウ球菌(菌株名：Staphylococcus  aureus ；接種量106 cfu／g、緑膿菌(菌株名：Pseudomonas  aeruginosa ；接種量106 cfu／g）を用いて３週間経過時までの菌数変化により抗菌力を評価し、得られた効果を以下の３段階の基準で分類した。
Ａ：３週間以内に、上記接種菌の全てが100cfu／ｇ以下に減少
Ｂ：３週間後も、上記接種菌のいずれかが100cfu／ｇ以上残存
Ｃ：３週間後も、上記接種菌の全てが100cfu／ｇ以上残存
【００４７】
【表１】
2017193625.tif 000002
【００４８】
【表２】
2017193625.tif 000003
【００４９】
表１および表２より明らかなように、本発明の成分を用いた実施例１〜１１の液体洗浄剤組成物は比較例１〜１０の組成物に比べていずれも優れた性能を見出した。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
下記成分（Ａ）〜（Ｄ）が泡吐出容器に充填されていることを特徴とする液体洗浄剤組成物。
（Ａ）下記一般式（１）で表されるＮ−アシルタウリン型陰イオン性界面活性剤
液体洗浄剤組成物中  １〜４質量％
Ｒ1ＣＯ−ＮＲ2−ＣＨ2ＣＨ2ＳＯ3Ｍ  ・・・（１）
〔上式中、Ｒ1は炭素数７〜１９の飽和または不飽和の炭化水素基を表し、Ｒ2は水素原子または炭素数１〜３のアルキル基を表し、Ｍはアルカリ金属原子、アルカリ土類金属原子、アンモニウム、または有機アミンを表す。〕
（Ｂ）カルボベタイン型両性界面活性剤、及びスルホベタイン型両性界面活性剤から選ばれる１種以上                              液体洗浄剤組成物中  １〜１０質量％
（Ｃ）ポリオキシエチレンソルビタン脂肪酸エステル
液体洗浄剤組成物中  ０．１〜５質量％
（Ｄ）多価アルコール                    液体洗浄剤組成物中  ２５〜５０質量％
【請求項２】
成分（Ａ）がＮ−ココイルメチルタウリンナトリウムであることを特徴とする請求項１に記載の液体洗浄剤組成物。
【請求項３】
成分（Ｃ）がＨＬＢ値１６．５〜１９．５であるポリオキシエチレンソルビタン脂肪酸エステルであることを特徴とする請求項１または請求項２に記載の液体洗浄剤組成物。